(57)【要約】【課題】フックを支持部材によって回転自在に支持し、必要に応じてフックの回転を防止することを可能にすることにある。【解決手段】ランドセル（鞄等の携帯手段）Ｒに固定する支持部材２と、環状部３３で支持部材２に揺動自在に連結されたフック部材３とを備え、フック部材３は環状部３３に回転自在に連結されたフック３１と、一端部がフック３１における差込口３ａの一方の端部３１ａに回動自在に取り付けられ、他端部がフック３１における差込口３ａの他方の端部３１ｂに内側から弾性力をもって当接するゲート３２とを有し、支持部材２及びフック部材３はフック３１が自由に回転可能な形状に形成され、支持部材２はフック３１における差込口３ａの背後位置の主幹部３１ｃが支持部材２に押し付けられた際に、主幹部３１ｃとの関係でフック３１の回転を抑制することになる回転抑制部２３を有する構成になっている。【選択図】図１
0003156884.tif 000002
【実用新案登録請求の範囲】
【請求項１】
鞄等の携帯手段に固定的に取り付けられる支持部材と、上端部に設けた環状部によって前記支持部材に揺動自在に連結されたフック部材とを備えた吊下げ具であって、
前記フック部材は、前記環状部の下側にあって当該環状部に回転自在に連結されたフックと、一端部が前記フックにおける差込口の一方の端部に回動自在に取り付けられ、他端部が当該フックにおける差込口の他方の端部に内側から弾性力をもって当接するゲートとを有しており、
前記支持部材及び前記フック部材は、前記フックが前記環状部に吊下げられた状態で自由に回転することが可能な形状に形成され、
前記支持部材は、前記フックにおける前記差込口の背後に位置する主幹部が当該支持部材に押し付けられた際に、当該主幹部との関係で当該フックの回転を抑制することになる回転抑制部を有していることを特徴とする吊下げ具。
【請求項２】
前記回転抑制部は、前記フック部材が前記支持部材側に揺動した際に前記主幹部が入るように、当該支持部材の表面に対して凹状に形成され、かつ前記主幹部が揺動により入った際には前記フックの回転の妨げにならない深さであって、当該主幹部が入って内方に押し付けられた際に当該フックの回転を抑制することになる深さに形成されていることを特徴とする請求項１に記載の吊下げ具。
【請求項３】
前記フックは、前記主幹部が棒状の部材によって形成されていると共に、当該主幹部の背面が前記回転の方向に対応する方向である幅方向において直線状となるような面によって形成されており、前記回転抑制部における前記主幹部の前記背面に対向する受面は、当該背面の幅方向に対応する方向において直線状となるような面によって形成されており、
前記背面の幅方向の寸法は、前記フック部材の揺動により当該背面が前記受面に当った際には前記フックの回転の妨げにならず、当該背面が前記受面に押し付けられた際に当該フックの回転を抑制することになる寸法に形成されていることを特徴とする請求項１又は２に記載の吊下げ具。
【考案の詳細な説明】
【技術分野】
【０００１】
本考案は、鞄等の携帯手段に設けることによって種々の物品の吊下げに用いる吊下げ具に関するものである。
【背景技術】
【０００２】
この種の吊下げ具としては、図７において、符号６で示すものが知られている（例えば、特許文献１）。この吊下げ具６は、鞄等の携帯手段としてのランドセルＲの襠部Ｒａに固定的に取り付けることになる支持部材７と、この支持部材７に揺動自在に設けられたフック部材８とを備えている。襠部Ｒａは、ランドセルＲの左右の側面部分を構成するものである。この襠部Ｒａには、襠ベルトＲｂが横方向に横断するように設けられている。
【０００３】
支持部材７は、リベットＲｃによって襠ベルトＲｂと共に襠部Ｒａに固定されるようになっている。フック部材８は、上端部に設けた環状部８３によって支持部材７の係止部７１に吊下げられるようにして連結され、支持部材７における係止部７１の下側の表面部分に対して離接する方向Ａに揺動自在となっている。その支持部材７の表面部分は、襠部Ｒａの表面に沿うような形状になっている。
【０００４】
この場合、フック部材８は、上述した環状部８３と、この環状部８３の下側にあって当該環状部８３と一体に形成されたフック８１と、このフック８１の差込口８ａを開閉するゲート８２とを備えた構成になっている。ゲート８２は、その基端部がフック８１における差込口８ａの上方の端部８１ａに回動自在に取り付けられていると共に、その先端部がフック８１における差込口８ａの下方の端部８１ｂに内側から所定の弾性力をもって当接するようになっている。
【０００５】
このように構成された吊下げ具６においては、例えばループ状の紐（図示せず）をゲート８２に押し付けてフック８１内に挿入することにより、その紐をフック８１によって確実に保持し、これにより、その紐に一体的に設けられた例えば袋をランドセルＲの横に吊下げることができる。この場合、フック部材８が襠部Ｒａに沿う支持部材７の表面部分に対して離接する方向Ａに揺動するようにはなっているものの、支持部材７に対して回転自在とはなっていないので、紐をゲート８２の上から押し付けた場合でも、そのゲート８２が横に逸れるようにフック部材８が回転することがない。即ち、紐をゲート８２に押し付けた際には、フック８１が支持部材７の表面に当接した後、その押付力がゲート８２に作用して当該ゲート８２が内方に移動し、差込口８ａが開くことから、その差込口８ａから当該紐をフック８１内に簡単に差し込むことができる。
【０００６】
しかしながら、上記従来の吊下げ具６においては、フック部材８が支持部材７に対して回転自在な構造にはなっていないので、ランドセルＲを背負って歩いているうち、袋が回転し、フック８１に吊下げた紐がねじれた状態になってしまうという問題があった。このような問題を解消するためには、フック８１を支持部材７に対して回転自在に構成し、当該フック８１が袋の回転に伴って自由に回転するようにすればよい。しかし、フック８１が支持部材７に対して自由に回転するようになると、紐をゲート８２の上から押し付けた際に、フック８１が回転してゲート８２の部分が横に逸れてしまい、その押付力がゲート８２にうまく作用しなくなる。このため、紐をフック８１内に挿入することが難しくなるという問題があった。
【先行技術文献】
【特許文献】
【０００７】
【特許文献１】実登２５４６９４８号公報
【考案の概要】
【考案が解決しようとする課題】
【０００８】
本考案は、上記事情に鑑みてなされたものであり、フックが支持部材に対して自由に回転することができ、かつ必要に応じてフックの回転を防止することのできる吊下げ具を提供することを課題としている。
【課題を解決するための手段】
【０００９】
上記課題を解決するため、請求項１に記載の考案は、鞄等の携帯手段に固定的に取り付けられる支持部材と、上端部に設けた環状部によって前記支持部材に揺動自在に連結されたフック部材とを備えた吊下げ具であって、前記フック部材は、前記環状部の下側にあって当該環状部に回転自在に連結されたフックと、一端部が前記フックにおける差込口の一方の端部に回動自在に取り付けられ、他端部が当該フックにおける差込口の他方の端部に内側から弾性力をもって当接するゲートとを有しており、前記支持部材及び前記フック部材は、前記フックが前記環状部に吊下げられた状態で自由に回転することが可能な形状に形成され、前記支持部材は、前記フックにおける前記差込口の背後に位置する主幹部が当該支持部材に押し付けられた際に、当該主幹部との関係で当該フックの回転を抑制することになる回転抑制部を有していることを特徴としている。
【００１０】
請求項２に記載の考案は、請求項１に記載の考案において、前記回転抑制部は、前記フック部材が前記支持部材側に揺動した際に前記主幹部が入るように当該支持部材の表面に対して凹状に形成され、かつ前記主幹部が揺動により入った際には前記フックの回転の妨げにならない深さであって、当該主幹部が入って内方に押し付けられた際に当該フックの回転を抑制することになる深さに形成されていることを特徴としている。
【００１１】
請求項３に記載の考案は、請求項１又は２に記載の考案において、前記フックは、前記主幹部が棒状の部材によって形成されていると共に、当該主幹部の背面が前記回転の方向に対応する方向である幅方向において直線状となるような面によって形成されており、前記回転抑制部における前記主幹部の前記背面に対向する受面は、当該背面の幅方向に対応する方向において直線状となるような面によって形成されており、前記背面の幅方向の寸法は、前記フック部材の揺動により当該背面が前記受面に当った際には前記フックの回転の妨げにならず、当該背面が前記受面に押し付けられた際に当該フックの回転を抑制することになる寸法に形成されていることを特徴としている。
【考案の効果】
【００１２】
請求項１に記載の考案によれば、環状部が支持部材に揺動自在に連結され、フックが環状部の下側にあって当該環状部に回転自在に連結されており、支持部材及びフック部材はフックが環状部に吊下げられた状態で自由に回転することが可能な形状に形成されているので、そのフックに例えばループ状の紐を掛け、携帯手段の移動に伴ってその紐に一体的に設けた袋が回転した場合でも、その紐がねじれるのを防止することができる。
【００１３】
また、支持部材は、フックにおける差込口の背後に位置する主幹部が当該支持部材に押し付けられた際に、当該フックの回転を抑制することになる回転抑制部を有しているので、例えば、フックの主幹部を回転抑制部に合わせた上で、ゲートの上から上述した袋の紐を押し付けると、主幹部が回転抑制部に押し付けられた状態になることから、そのフックの回転を抑制することができる。即ち、紐からの押付力によって、ゲートの部分が横に逸れるように、フックが回転するのを防止することができる。従って、その押付力によってゲートをフックの内方に移動し、差込口からフック内に紐を容易に挿入することができる。以上のように、必要に応じてフックの回転を防止することができ、これにより、例えば紐をフック内に容易に挿入することができる。
【００１４】
請求項２に記載の考案によれば、回転抑制部はフック部材が支持部材側に揺動した際に主幹部が入るように当該支持部材の表面に凹状に形成されたものであり、かつ前記主幹部が揺動により入った際には前記フックの回転の妨げにならない深さであって、当該主幹部が入って内方に押し付けられた際に当該フックの回転を抑制することになる深さに形成されているので、回転抑制部として極めて簡単な凹状の形状をもって、フックを回転自在に維持することができると共に、必要に応じてフックの回転を抑制することができる。
【００１５】
請求項３に記載の考案によれば、主幹部が棒状部材によって形成され、その主幹部の背面が幅方向において直線状となる面によって形成され、回転抑制部における主幹部の背面に対向する受面も当該背面の幅方向に対応する方向において直線状となるような面によって形成されており、背面の幅方向の寸法は、フック部材の揺動により背面が受面に当った際にはフックの回転の妨げにならず、背面が受面に押し付けられた際に当該フックの回転を抑制することになる寸法に形成されているので、通常の状態ではフックは支持部材に対して回転自在に維持されるが、例えば紐をゲートに押し付けた際には主幹部の背面が回転抑制部の受面に押し付けられることになり、フックのゲート部分が横に逸れるように回転するのを抑制することができる。
【図面の簡単な説明】
【００１６】
【図１】本考案の一実施例として示した吊下げ具の斜視図である。
【図２】同吊下げ具を示す図であって、（ａ）は正面図であり、（ｂ）は左側面図であり、（ｃ）は右側面図である。
【図３】同吊下げ具を示す図であって、図２（ａ）のIII−III線に沿う断面図である。
【図４】同吊下げ具の支持部材を示す図であって、（ａ）は正面図であり、（ｂ）は（ａ）のＢ−Ｂ線に沿う断面図であり、（ｃ）は背面図である。
【図５】同吊下げ具を示す底面図であって、支持部材の回転抑制部としての凹部を断面視して示す図である。
【図６】同吊下げ具をランドセルにおける襠ベルトの位置に取り付けた状態を示す正面図である。
【図７】従来例として示した吊下げ具であり、（ａ）は斜視図であり、（ｂ）は要部断面図である。
【考案を実施するための形態】
【００１７】
本考案を実施するための形態を実施例に基づいて詳細に説明する。
【実施例】
【００１８】
この実施例で示す吊下げ具１は、図１〜図６に示すように、ランドセル（鞄等の携帯手段）Ｒに固定的に取り付けられる支持部材２と、上端部に設けた環状部３３によって支持部材２に揺動自在に連結されたフック部材３とを備えている。
【００１９】
フック部材３は、図１〜図３に示すように、上記環状部３３と、この環状部３３の下側にあって当該環状部３３に回転自在に連結されたフック３１と、一端部が前記フック３１における差込口３ａの上方の端部（一方の端部）３１ａにピン３２ａを介して回動自在に取り付けられ、他端部が当該フック３１における差込口３ａの下方の端部（他方の端部）３１ｂに内側から弾性力をもって当接するゲート３２とを有している。前記弾性力は、ねじりコイルばね３２ｂ（図３参照）によって与えられる。
【００２０】
支持部材２及びフック部材３は、フック３１が環状部３３に吊下げられた状態で自由に回転することが可能な形状に形成され、支持部材２は、フック３１における差込口３ａの背後に位置する主幹部３１ｃが当該支持部材２に押し付けられた際に、当該主幹部３１ｃとの関係で当該フック３１の回転を抑制することになる回転抑制部２３を有している。
【００２１】
支持部材２は、図１〜図４に示すように、プラスチックによって一体に形成されたものであり、縦長の長方形状に形成されたベース板２１と、このベース板２１の表面における長手方向の中央部から突出して当該ベース板２１における上半部２１ａの表面に対して所定の間隔をおいて重なるように形成された連結板２２とを有している。なお、ベース部材２１における連結板２２の突出する部分から上側の部分を上述のように上半部２１ａとして示し、下側の部分を下半部２１ｂとして示す。
【００２２】
ベース板２１は、背面が一平面状の基準面となるように形成され、表面が背面に対して高さの異なる低面部２１ｃ、傾斜面部２１ｄ及び高面部２１ｅによって形成されている。低面部２１ｃ、傾斜面部２１ｄ及び高面部２１ｅは、ベース部材２１の上方から順次形成されている。そして、低面部２１ｃ及び傾斜面部２１ｄは、上半部２１ａに位置している。また、高面部２１ｅの上方の一部も上半部２１ａに位置している。
【００２３】
一方、連結板２２は、ベース部材２１の低面部２１ｃ、傾斜面部２１ｄ及び高面部２１ｅの上端部にそれぞれ沿うように形成された低板部２２ａ、傾斜板部２２ｂ及び高板部２２ｃを有している。低面部２１ｃと低板部２２ａとの間隔は、襠ベルトＲｂの厚さと同等となる間隔に設定されており、高面部２１ｅと高板部２２ｃとの間隔は、環状部３３における後述する他方の直線部３３ｃが多少の隙間をもって挿入可能となる間隔に設定されている。
【００２４】
ベース部材２１における低面部２１ｃの部分及び連結板２２の低板部２２ａのそれぞれには、図１、図３及び図４に示すように、ハトメＨの軸部Ｈ１を挿入するための貫通孔２１ｆ、２２ｄが同軸状に形成されている。ハトメＨは、図１に示すように、襠ベルトＲｂを挟んだ状態のベース部材２１及び連結板２２を襠部Ｒａに固定するようになっている。また、連結板２２には、その表面から所定の深さの座ぐり２２ｅが貫通孔２２ｄと同軸状に形成されている。座ぐり２２ｅは、ハトメＨの一方の頭部Ｈ２を収容するようになっている。なお、ハトメＨの他方の頭部H３は、襠部Ｒａにおける少なくとも最も内側に位置する内装材Ｒｄによって覆われるようになっている。
【００２５】
また、連結板２２は、図１〜図４に示すように、ベース部材２１から円弧状に湾曲しながら高板部２２ｃに連続的につながる湾曲部２２ｆを有しており、この湾曲部２２ｆで環状部３３における他方の直線部３３ｃを回動自在に保持することにより、フック部材３を揺動自在に支持するようになっている。
【００２６】
更に、連結板２２は、低板部２２ａの上端部からベース部材２１側に直角に屈曲する閉鎖板２２ｇを有している。この閉鎖板２２ｇは、支持部材２が襠ベルトＲｂと共に襠部Ｒａに固定された際に、襠ベルトＲｂの上辺部を覆うようになっている。なお、閉鎖板２２ｇの先端と、ベース部材２１の上端とは、分離された状態になっており、連結板２２をベース部材２１の上端から離れる方向に弾性的に変形させることにより、その閉鎖板２２ｇの先端とベース部材２１の上端との間から環状部３３の他方の直線部３３ｃや襠ベルトＲｂを挿入することが可能になっている。
【００２７】
フック部材３の環状部３３は、図１〜図３に示すように、長円形状に形成されたリング体３３ａと、このリング体３３ａにおける互いに平行に形成された直線部３３ｂ、３３ｃのうち一方の直線部３３ｂの長手方向の中央に形成された連結環３３ｄとにより一体に形成されている。連結環３３ｄは、その軸心が各直線部３３ｂ、３３ｃの軸心に直交するように延在している。なお、リング体３３ａを構成する線材は、各直線部３３ｂ、３３ｃを含めて一定の径で断面円形状に形成されていると共に、その径によって上述した長円形状を維持するのに十分な剛性を有する金属（例えばステンレス鋼）によって形成されている。
【００２８】
フック３１は、図３に示すように、その上端部から上方に突出し、連結環３３ｄに回転自在に嵌合する枢軸部３１ｄと、この枢軸部３１ｄの上端部に形成された拡径部３１ｅとを有している。拡径部３１ｅは、枢軸部３１ｄが連結環３３ｄから抜けるのを防止するようになってる。即ち、フック３１は、枢軸部３１ｄ及び拡径部３１ｅによって環状部３３に連結されることにより、当該環状部３３に対して３６０度を超えて回転自在となっている。
【００２９】
また、上述した回転抑制部２３は、図３〜図５に示すように、フック部材３が環状部３３を介して支持部材２に揺動自在に連結された状態において、主幹部３１ｃを下半部２１ｂの表面（即ち、高面部２１ｅ）に向けた状態で、フック部材３を支持部材２側に揺動させた際に、主幹部３１ｃの背面３１ｆ側の一部が入るように高面部２１ｅに対して凹状に形成されたものである。そして、この回転抑制部２３は、図５に示すように、主幹部３１ｃが単に揺動により入った際にはフック３１の枢軸部３１ｄ回りの回転方向Ｂの回転の妨げにならない深さであって、当該主幹部３１ｃが入って内方に押し付けられた際に当該フック３１の回転を抑制することになる深さに形成されたものとなっている。
【００３０】
即ち、回転抑制部２３の高面部２１ｅからの深さＬ１は、所定の寸法の範囲内に設定されている。深さＬ１がその範囲の最小寸法未満であると、子供（小学生）が主幹部３１ｃを回転抑制部２３内に押し込む程度の力ではフック３１の回転を十分に抑制することができないからであり、その範囲の最大寸法を超えると、フック３１が揺動して回転抑制部２３内に単に入るだけで、フック３１の回転が抑制された状態になってしまうからである。
【００３１】
また、主幹部３１ｃは、先端に向って（図の下方に向って）漸次細くなる形状の棒状の部材によって形成されていると共に、その背面３１ｆが図５に示すようにフック３１の回転方向Ｂに対応する幅方向において直線状となるような面によって形成されている。他方、回転抑制部２３における主幹部３１ｃの背面３１ｆに対向する受面２３ａも、背面３１ｆの幅方向に対応する方向において直線状となるような面によって形成されている。そして、背面３１ｆの幅方向の寸法は、フック部材３の揺動により背面３１ｆが受面２３ａに単に当っただけではフック３１の回転の妨げにならず、当該背面３１ｆが受面２３ａに押し付けられた際に当該フック３１の回転を抑制することになる寸法に形成されている。
【００３２】
即ち、主幹部３１ｃにおける背面３１ｆの幅方向の寸法Ｌ２は、所定の寸法の範囲内に設定されている。幅方向の寸法Ｌ２がその範囲の最小寸法未満であると、子供（小学生）が主幹部３１ｃの背面３１ｆを回転抑制部２３の受面２３ａに押し付ける程度の力ではフック３１の回転を十分に抑制することができないからであり、その範囲の最大寸法を超えると、フック３１が揺動により回転抑制部２３内に入り、主幹部３１ｃの背面３１ｆが当該回転抑制部２３の受面２３ａに単に当るだけで、フック３１の回転が抑制された状態になってしまうからである。
【００３３】
なお、回転抑制部２３の受面２３ａは、下半部２１ｂの表面である高面部２１ｅと平行な平面によって形成されている。また、ベース部材２１の背面には、当該ベース部材２１の厚さを図４（ｂ）の断面視において可能な限り一定にする肉抜き凹部２１ｇが設けられている。この肉抜き凹部２１ｇは、支持部材２を例えば射出成形したときのベース部材２１の反りを最小限に抑え、そのベース部材２１の背面の平面性を高めることが可能である。背面の平面性の向上により、その背面が襠部Ｒａの表面に密接するようになる。また、ベース部材２１は、その下半部２１ｂの下端が半円状に丸められた形状になている。
【００３４】
上記のように構成された吊下げ具１においては、環状部３３が支持部材２に揺動自在に連結され、フック３１が環状部３３の下側にあって当該環状部３３に回転自在に連結されており、支持部材２及びフック部材３はフック３１が環状部３３に吊下げられた状態で自由に回転することが可能な形状に形成されているので、そのフック３１に例えば袋に設けたループ状の紐（図示せず）を掛け、ランドセルＲを背負って移動した際に、その移動に伴って袋が回転した場合でも、その紐がねじれるのを防止することができる。
【００３５】
また、支持部材２は、フック３１における差込口３ａの背後に位置する主幹部３１ｃが当該支持部材２に押し付けられた際に、当該フック３１の回転を抑制することになる回転抑制部２３を有しているので、例えば、フック３１の主幹部３１ｃを回転抑制部２３に合わせた上で、ゲート３２の上から上述した袋の紐を押し付けると、主幹部３１ｃが回転抑制部２３に押し付けられた状態になると共に、フック３１の回転が抑制されることになる。従って、紐からの押付力によって、フック３１が回転してゲート３２が横に逸れるのを防止することができるので、その押付力をゲート３２に確実に作用させることができ、その押付力によって内方に移動したゲート３２の部分からフック３１内に紐を容易に挿入することができる。即ち、必要に応じてフック３１の回転を防止して、例えば紐をフック３１内に容易に挿入することができる。
【００３６】
しかも、回転抑制部２３は、極めて簡単な凹状の形状をもって、フック３１を回転自在に維持することができると共に、必要に応じてフック３１の回転を抑制することができるという利点がある。
【００３７】
また、主幹部３１ｃの背面３１ｆが幅方向において直線状となる面によって形成され、回転抑制部２３の受面２３ａも背面３１ｆの幅方向に対応する方向において直線状となるような面によって形成されており、背面３１ｆの幅方向の寸法は、フック部材３の揺動により背面３１ｆが受面２３ａに当った際にはフック３１の回転の妨げにならず、背面３１ｆが受面２３ａに押し付けられた際に当該フック３１の回転を抑制することになる寸法に形成されているので、通常の状態ではフック３１を支持部材２に対して回転自在に維持することができ、紐をゲート３２に押し付けた際にはフック３１が横に逸れるように回転するのをより効果的に抑制することができる。
【００３８】
そして、回転抑制部２３の深さＬ１が所定の寸法の範囲内に設定されているので、主幹部３１ｃが回転抑制部２３に揺動して入ったとしてもフック３１の回転が回転抑制部２３によって妨げられるのを防止することができ、主幹部３１ｃを回転抑制部２３の受面２３ａに押し付けた際には当該フック３１の回転を確実に抑制することができる。
【００３９】
しかも、主幹部３１ｃにおける背面３１ｆの幅方向の寸法Ｌ２が所定の寸法の範囲内に設定されているので、フック部材３の揺動により主幹部３１ｃの背面３１ｆが回転抑制部２３の受面２３ａに当ったとしてもフック３１の回転がその回転抑制部２３によって妨げられるのを防止することができ、主幹部３１ｃの背面３１ｆが回転抑制部２３の受面２３ａに押し付けられた際には当該フック３１の回転をより確実に抑制することができる。
【符号の説明】
【００４０】
１  吊下げ具
２  支持部材
３  フック部材
３ａ  差込口
２３  回転抑制部
２３ａ  受面
３１  フック
３１ａ  上方の端部（一方の端部）
３１ｂ  下方の端部（他方の端部）
３１ｃ  主幹部
３１ｆ  背面
３２  ゲート
３３  環状部
Ｒ  ランドセル（鞄等の携帯手段）
【図１】
0003156884.tif 000003
【図２】
0003156884.tif 000004
【図３】
0003156884.tif 000005
【図４】
0003156884.tif 000006
【図５】
0003156884.tif 000007
【図６】
0003156884.tif 000008
【図７】
0003156884.tif 000009